(57)【特許請求の範囲】
【請求項１】
ＩＴＵ−Ｔ勧告Ｖ．２１を用いた同勧告Ｔ．３０に従ったファクシミリ伝送制御手順と同勧告Ｖ．８に従ったセッション開始手順との通信機能を備えた通信端末装置において、画データを送信した後、会話を行うための会話予約設定手段と、その会話予約設定手段の操作に基づいて、会話予約が設定された場合は、送信先の通信機能に拘わらず、同勧告Ｔ．３０に従ったファクシミリ伝送制御手順を実行する制御手段とを備えた通信端末装置。
【請求項２】
請求項１に記載の通信端末装置において、制御手段は、会話予約が設定された場合は、同勧告Ｖ．８に従ったセッション開始手順の変形応答トーン信号に応答しない通信端末装置。
【請求項３】
請求項１に記載の通信端末装置において、制御手段は、同勧告Ｖ．８に従ったセッション開始手順の起呼メニュー信号を送出した後、送信先から送出されてくる共通メニュー信号を検出した場合は、会話予約設定手段の操作に基づく会話予約の設定を禁止する通信端末装置。
【請求項４】
請求項１に記載の通信端末装置において、前記制御手段は、会話予約が設定された場合、会話予約が優先設定されているか否かを判断し、会話予約が優先設定されている場合は、送信先の通信機能に拘わらず、同勧告Ｔ．３０に従ったファクシミリ伝送制御手順を実行する通信端末装置。
【発明の詳細な説明】
【０００１】
【発明の属する技術分野】
本発明は、ファクシミリ装置等に代表される通信端末装置に関し、より詳しくは会話予約が設定された場合における通信端末装置に関するものである。
【０００２】
【従来の技術】
従来より、通信端末装置としてのファクシミリ装置においては、モデムによりＩＴＵ−Ｔ勧告Ｖ．１７等に従って送信画データを変調して、同勧告Ｔ．３０に従ったファクシミリ伝送制御手順で画データの送信が行われている。
【０００３】
また、同勧告Ｔ．３０に従ったファクシミリ伝送制御手順においては、画データを送信した後、ファクシミリ装置の付属電話機で会話を行うための会話予約を設定する機能がある。この会話予約を設定しておけば、画データを送信した後、付属電話機を用いて送信先の相手との間で会話を行うことができる。
【０００４】
一方、近年では、画データを最大３３．６〔ｋｂｐｓ〕の通信速度で送信することが可能な同勧告Ｖ．３４に従った通信機能、いわゆるスーパーＧ３通信機能を備えたファクシミリ装置も普及しつつある。このＶ．３４に従った通信機能を用いれば、送信側装置と受信側装置との間の回線状況に応じて、通信速度を変更することが可能である。このため、大量の画データを送信する場合であって、回線状況が良好な場合は、通信時間を短くすることができるとともに、その通信にかかる通信料金も安くすることができる。
【０００５】
【発明が解決しようとする課題】
ところで、このＶ．３４に従った通信機能を用いて通信を行うためには、同勧告Ｖ．８に従ったセッション開始手順を実行する必要がある。しかしながら、Ｖ．８に従ったセッション開始手順及びＶ．３４に従った通信機能には、会話予約を設定する機能は勧告されていない。このため、画データをスーパーＧ３通信機能を備えた装置に送信する場合には、会話予約が設定されていても、画データを送信した後、付属電話機を用いて送信先の相手との間で会話を行うことができなかった。換言すれば、スーパーＧ３通信機能を備えた装置に対しては、会話予約の設定が無効になっていた。
【０００６】
本発明は、このような問題点に着目してなされたものであって、その目的は、送信先の通信機能に拘わらず、会話予約の設定を有効にすることが可能な通信端末装置を提供することにある。
【０００７】
【課題を解決するための手段】
上記の目的を達成するために、請求項１に記載の発明では、ＩＴＵ−Ｔ勧告Ｖ．２１を用いた同勧告Ｔ．３０に従ったファクシミリ伝送制御手順と同勧告Ｖ．８に従ったセッション開始手順との通信機能を備えた通信端末装置において、画データを送信した後、会話を行うための会話予約設定手段と、その会話予約設定手段の操作に基づいて、会話予約が設定された場合は、送信先の通信機能に拘わらず、同勧告Ｔ．３０に従ったファクシミリ伝送制御手順を実行する制御手段とを備えた。
【０００８】
請求項２に記載の発明では、請求項１に記載の通信端末装置において、制御手段は、会話予約が設定された場合は、同勧告Ｖ．８に従ったセッション開始手順の変形応答トーン信号に応答しない。
【０００９】
請求項３に記載の発明では、請求項１に記載の通信端末装置において、制御手段は、同勧告Ｖ．８に従ったセッション開始手順の起呼メニュー信号を送出した後、送信先から送出されてくる共通メニュー信号を検出した場合は、会話予約設定手段の操作に基づく会話予約の設定を禁止する。
請求項４に記載の発明では、請求項１に記載の通信端末装置において、前記制御手段は、会話予約が設定された場合、会話予約が優先設定されているか否かを判断し、会話予約が優先設定されている場合は、送信先の通信機能に拘わらず、同勧告Ｔ．３０に従ったファクシミリ伝送制御手順を実行する通信端末装置。
【００１０】
なお、以下に述べる発明の実施の形態において、特許請求の範囲または課題を解決するための手段に記載の「通信端末装置」はファクシミリ装置１に相当し、同じく「会話予約設定手段」は会話予約設定キー１６ｆに相当し、同じく「制御手段」はＭＰＵ１１、ＲＯＭ１２及びＲＡＭ１３に相当する。
【００１１】
【発明の実施の形態】
以下に、本発明に係る通信端末装置をファクシミリ装置に具体化した一実施形態を図面を用いて説明する。
【００１２】
図１に示すように、ファクシミリ装置１は、ＭＰＵ１１、ＲＯＭ１２、ＲＡＭ１３、読取部１４、記録部１５、操作部１６、表示部１７、画像メモリ１８、コーデック１９、モデム２０、ＮＣＵ２１及び鳴動部２２から構成されるとともに、各部１１〜２２がバス２３を介してそれぞれ接続されている。
【００１３】
ＭＰＵ１１は、ファクシミリ装置１を構成する各部を制御する。また、ＭＰＵ１１は、タイマ１１ａを内蔵している。ＲＯＭ１２は、ファクシミリ装置１を制御するためのプログラムを記憶する。ＲＡＭ１３は、ファクシミリ装置１に関する各種情報を一時的に記憶する。
【００１４】
読取部１４は、原稿上の画像データを読み取って、白黒２値のイメージデータを出力する。記録部１５は、電子写真方式のプリンタよりなり、受信画データや、コピー動作において読取部１４にて読み取られた原稿の画データを、記録紙上に記録する。
【００１５】
操作部１６は、電話番号やＦＡＸ番号等を入力するためのテンキー（＊，＃キーを含む）１６ａ、短縮番号の登録又は短縮番号から発信するための短縮キー１６ｂ、予め登録したＦＡＸ番号をワンタッチで指定するためのワンタッチキー１６ｃ、原稿の読み取り動作を開始させるためのスタートキー１６ｄ、「通信（ＦＡＸ）」モード又は「コピー」モードに設定するための通信／コピーキー１６ｅ、会話予約を設定するための会話予約設定キー１６ｆ等の各種操作キーを備えている。ＬＣＤ等よりなる表示部１７は、ファクシミリ装置１の動作状態等の各種情報の表示を行う。
【００１６】
画像メモリ１８は、受信画データや読取部１４で読み取られた画データを一時的に記憶する。コーデック１９は、読取部１４にて読み取られた画データを送信のためにＭＨ，ＭＲ，ＭＭＲ方式等により符号化（エンコード）する。また、コーデック１９は、受信画データを復号（デコード）する。
【００１７】
モデム２０は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。また、モデム２０は、ＩＴＵ−Ｔ勧告Ｖ．８に従ったセッション開始手順と、ＩＴＵ−Ｔ勧告Ｖ．３４に従った送受信データの変調及び復調とを行う。
【００１８】
ＮＣＵ２１は、電話回線Ｌとの接続を制御するとともに、送信先のＦＡＸ番号に対応したダイヤル信号の送出及び着信を検出するための機能を備えている。また、ＮＣＵ２１には、付属電話機２１ａが接続されている。さらに、ＮＣＵ２１は、電話回線Ｌをモデム２０又は付属電話機２１ａに切換接続するための切換リレー２１ｂを備えている。すなわち、切換リレー２１ｂが、モデム２０に接続された場合は、ファクシミリ通信が行われ、一方、付属電話機２１ａに接続された場合は、相手との間で会話が行われる。加えて、ＮＣＵ２１は、付属電話機２１ａの状態（オンフック又はオフフック）を検出するための検出センサ２１ｃを備えている。
【００１９】
鳴動部２２は、呼出信号に基づき呼出音を鳴動し、電話が着信した旨を報知する。そして、この呼出音に基づいて、付属電話機２１ａをオフフックすると、相手との間で会話することができる。
【００２０】
次に、ファクシミリ装置１における送信時の動作について、図２及び図３に示すフローチャートを用いて説明する。なお、この動作は、ＲＯＭ１２に記憶されたプログラムに基づき、ＭＰＵ１１の制御により実行される。
【００２１】
さて、通信／コピーキー１６ｅが操作されて、通信（ＦＡＸ）モードに設定されるとともに、原稿が読取部１４に載置され、テンキー１６ａ、短縮キー１６ｂ又はワンタッチキー１６ｃから送信先のＦＡＸ番号が入力されて、スタートキー１６ｄが操作される。そして、このスタートキー１６ｄの操作に基づいて、原稿の読み取りが読取部１４で開始され、その読み取られた原稿の画データがコーデック１９でＭＭＲ方式等により符号化された後、画像メモリ１８に記憶されると、
図２に示すステップＳ１においては、送信先のＦＡＸ番号に基づいて、ＮＣＵ２１から送信先に発呼が行われる。そして、送信先との間の回線が接続されると、ステップＳ２に移行する。
【００２２】
ステップＳ２においては、ＣＩ信号（起呼信号）がモデム２０から送信先に送出されるとともに、タイマ１１ａのカウントが開始される。
ステップＳ３においては、送信先から送出されてくるＡＮＳａｍ信号（変形応答トーン信号）がモデム２０で検出されたか否かが判断される。ＡＮＳａｍ信号が検出された場合は、送信先がＶ．８に従ったセッション開始手順の通信機能を備えた装置であると判断して、ステップＳ４に移行する。一方、ＡＮＳａｍ信号が検出されない場合は、送信先がＶ．８に従ったセッション開始手順の通信機能を備えた装置ではないと判断して、ステップＳ１１に移行する。
【００２３】
ステップＳ４においては、会話予約が設定されているか否かが判断される。具体的には、会話予約設定キー１６ｆが操作されて、会話予約が設定されているか否かに基づいて判断される。そして、会話予約が設定されている場合は、ステップＳ５に移行する。一方、会話予約が設定されていない場合は、ステップＳ６に移行する。
【００２４】
ステップＳ５においては、会話予約が優先設定されているか否かが判断される。すなわち、ファクシミリ装置１の初期設定において、会話予約が設定された場合は、その会話予約を優先する設定になっているか否かが判断される。そして、会話予約が優先設定になっている場合は、送信先がＶ．８に従ったセッション開始手順の通信機能を備えた装置であっても、ＩＴＵ−Ｔ勧告Ｖ．２１を用いたＴ．３０に従ったファクシミリ伝送制御手順を実行させるためにステップＳ１１に移行する。一方、会話予約が優先設定になっていない場合は、ステップＳ６に移行する。
【００２５】
ステップＳ６においては、主にファクシミリ装置１の変調方式を表示するためのＣＭ信号（起呼メニュー信号）が、モデム２０から送信先に対して送出される。
【００２６】
ステップＳ７においては、主に送信先の変調方式を表示するために、送信先から送信されてくるＪＭ信号（共通メニュー信号）がモデム２０で検出される。
ステップＳ８においては、会話予約の設定が禁止される。すなわち、前記ステップＳ７の処理において、ＪＭ信号が検出されているため、送信先が確実にＶ．８に従ったセッション開始手順の通信機能を備えた装置であると判断できる。そこで、会話予約設定キー１６ｆが操作されても、会話予約が設定できないようにしているのである。
【００２７】
ステップＳ９においては、ＪＭ信号を検出した確認及びＣＭ信号の終了を示すＣＪ信号（ＣＭ終端子信号）が、モデム２０から送信先に対して送出される。
ステップＳ１０においては、Ｖ．３４に従った通信機能で、画データが送信先に対して送信される。
【００２８】
ステップＳ１１においては、送信先から送出されてくるＤＩＳ信号がモデム２０で検出される。
ステップＳ１２においては、ＤＣＳ信号、トレーニング信号がモデム２０から送信先に対して送出される。
【００２９】
ステップＳ１３においては、送信先から送出されてくるＣＦＲ信号がモデム２０で検出される。
ステップＳ１４においては、画データが送信先に対して送信される。そして、図３に示すステップＳ２１に移行する。
【００３０】
ステップＳ１５においては、前記ステップＳ２の処理におけるタイマ１１ａのカウントの開始から所定時間が経過したか否かが判断される。そして、所定時間が経過した場合、つまり所定時間内にＡＮＳａｍ信号又はＤＩＳ信号のいずれも検出できなかった場合は、通信エラーであると判断して、ステップＳ１６に移行する。一方、所定時間が経過していない場合は、前記ステップＳ３に戻って、ＡＮＳａｍ信号又はＤＩＳ信号のいずれかが検出されるのが待たれる。
【００３１】
ステップＳ１６においては、エラー音が鳴動部２２から鳴動される。
ステップＳ１７においては、ＤＣＮ信号がモデム２０から送信先に対して送出される。
【００３２】
ステップＳ１８においては、送信先との間の回線が切断される。
図３に示すステップＳ２１においては、図２に示すステップＳ４の処理と同様に、会話予約が設定されているか否かが判断される。会話予約が設定されている場合は、ステップＳ２２に移行する。一方、会話予約が設定されていない場合は、ステップＳ２３に移行する。
【００３３】
ステップＳ２２においては、扱者の介入を要求するＰＲＩ−ＥＯＰ信号（手順中断ＥＯＰ信号）、換言すれば、会話予約が設定されている旨を示すためのＰＲＩ−ＥＯＰ信号がモデム２０から送信先に対して送出される。
【００３４】
ステップＳ２３においては、ＥＯＰ信号がモデム２０から送信先に対して送出される。
ステップＳ２４においては、ＰＩＰ信号（手順中断肯定信号）がモデム２０で検出されたか否かが判断される。ＰＩＰ信号が検出された場合は、ステップＳ２６に移行する。一方、ＰＩＰ信号が検出されない場合は、送信先の装置が、ＰＲＩ−ＥＯＰ信号に応答することができないと判断して、ステップＳ２５に移行する。
【００３５】
ステップＳ２５においては、送信先から送出されてくるＭＣＦ信号がモデム２０で検出されたか否かが判断される。ＭＣＦ信号が検出された場合は、ステップＳ３５に移行する。一方、ＭＣＦ信号が検出されない場合は、ステップＳ３４に移行する。
【００３６】
ステップＳ２６においては、呼出音が鳴動部２２から鳴動されるとともに、タイマ１１ａのカウントが開始される。
ステップＳ２７においては、呼出音の鳴動に基づいて、付属電話機２１ａが
オフフックされたか否かが判断される。具体的には、付属電話機２１ａの状態を検出するための検出センサ２１ｃに基づいて判断される。そして、付属電話機２１ａがオフフックされた場合は、ステップＳ２８に移行する。一方、付属電話機２１ａがオフフックされていない場合、つまり付属電話機２１ａがオンフックの状態である場合は、ステップＳ３３に移行する。
【００３７】
ステップＳ２８においては、付属電話機２１ａのオフフックに基づいて、呼出音の鳴動が停止される。
ステップＳ２９においては、会話予約設定キー１６ｆの操作による会話予約の設定に基づいて、切換リレー２１ｂにより、回線Ｌがモデム２０から付属電話機２１ａに切り換えられて、回線Ｌが付属電話機２１ａに接続される。
【００３８】
ステップＳ３０においては、送信先の相手との間で、会話が行われる。
ステップＳ３１においては、付属電話機２１ａがオンフックされたか否かが判断される。具体的には、付属電話機２１ａの状態を検出するための検出センサ２１ｃに基づいて判断される。そして、付属電話機２１ａがオンフックされた場合は、会話が終了したと判断して、ステップＳ３２に移行する。一方、付属電話機２１ａがオンフックされていない場合、つまり付属電話機２１ａがオフフックの状態の場合は、まだ会話が行われていると判断して、前記ステップＳ３０に戻る。
【００３９】
ステップＳ３２においては、送信先との間の回線が切断される。
ステップＳ３３においては、前記ステップＳ２６の処理におけるタイマ１１ａのカウントの開始から所定時間（例えば、３０秒）が経過したか否かが判断される。そして、所定時間が経過した場合、つまり所定時間内に付属電話機２１ａがオフフックされない場合は、ステップＳ３４に移行する。一方、所定時間が経過していない場合は、前記ステップＳ２７に戻って、付属電話機２１ａがオフフックされるのが待たれる。
【００４０】
ステップＳ３４においては、所定時間内に付属電話機２１ａがオフフックされないため、エラー音が鳴動部２２から鳴動される。
ステップＳ３５においては、ＤＣＮ信号がモデム２０から送信先に対して送出される。
【００４１】
ステップＳ３６においては、送信先との間の回線が切断される。
以上、詳述したように本実施形態によれば、次のような作用、効果を得ることができる。
【００４２】
（１）送信先がＶ．８に従ったセッション開始手順の通信機能を備えた装置であっても、会話予約設定キー１６ｆが操作されて、会話予約が設定されている場合は、Ｔ．３０に従ったファクシミリ伝送制御手順で画データが送信先に送信される。そして、読取部１４で読み取られた原稿の画データの送信が終了すると、扱者の介入を要求するＰＲＩ−ＥＯＰ信号、換言すれば、会話予約が設定されている旨を示すためのＰＲＩ−ＥＯＰ信号が送信先に対して送出される。また、ファクシミリ装置１においては、呼出音が鳴動部２２から鳴動される。その結果、画データを送信した後、この呼出音の鳴動に基づいて、付属電話機２１ａをオフフックすると、送信先の相手との間で会話をすることができる。従って、送信先の通信機能に拘わらず、会話予約の設定を有効にすることができる。
【００４３】
（２）ファクシミリ装置１の初期設定において、会話予約が優先設定されている場合は、送信先がＶ．８に従ったセッション開始手順の通信機能を備えた装置であっても、Ｖ．８に従ったセッション開始手順のＡＮＳａｍ信号に応答することなく、会話予約の設定が優先される。このため、画データを送信した後、呼出音が鳴動部２２から鳴動され、その呼出音に基づいて、付属電話機２１ａをオフフックすると、送信先の相手との間で会話を行うことができる。従って、ファクシミリ装置１の初期設定において、会話予約を優先するか、或いはＶ．８に従ったセッション開始手順を優先させるかを、予め設定することができる。よって、使用状況に応じて、ファクシミリ装置１の初期設定を行うことができる。
【００４４】
（３）ファクシミリ装置１からＣＭ信号を送出し、送信先から送出されてくるＪＭ信号をモデム２０で検出した場合には、会話予約の設定を禁止している。すなわち、ＪＭ信号を検出した場合には、送信先が確実にＶ．８に従ったセッション開始手順の通信機能を備えた装置であると判断できる。そこで、会話予約設定キー１６ｆが操作されても、会話予約が設定できないようにしているのである。換言すれば、確実にＶ．８に従ったセッション開始手順に移行したと判断して、会話予約の設定を禁止しているのである。従って、Ｖ．８に従ったセッション開始手順に移行した後、会話予約設定キー１６ｆが操作されても、誤動作するおそれを確実に防止することができる。
【００４５】
なお、前記実施形態は、次のように変更して具体化することも可能である。
・会話予約の設定を禁止した後（図２に示すステップＳ８）、会話予約設定キー１６ｆが操作された場合は、会話予約の設定ができない旨を表示部１７に表示する構成にしても良い。加えて、エラー音を鳴動部２２から鳴動させる構成にしても良い。このように構成すれば、会話予約設定キー１６ｆが無効であって、会話予約ができない旨を表示部１７に表示することができる。また、その旨を鳴動部２２からエラー音で鳴動することができる。
【００４６】
・前記実施形態では、図２に示すステップＳ５において、会話予約が優先設定されているか否かを判断する構成であったが、これに代えて、ステップＳ５の処理を省略した構成にしても良い。すなわち、会話予約が優先設定されているか否かを判断することなく、会話予約が設定された場合、つまりステップＳ４において「ＹＥＳ」と判断した場合は、ステップＳ１１に移行する構成にしても良い。
【００４７】
さらに、上記実施形態より把握される請求項以外の技術的思想について、以下にそれらの効果と共に記載する。
〔１〕請求項２に記載の通信端末装置において、制御手段は、会話予約設定手段が優先設定されている場合は、Ｖ．８に従ったセッション開始手順の変形応答トーン信号に応答しない通信端末装置。このように構成すれば、使用状況に応じて、通信端末装置の初期設定を行うことができる。
【００４８】
〔２〕請求項３に記載の通信端末装置において、制御手段は、Ｖ．８に従ったセッション開始手順の起呼メニュー信号を送出した後、送信先から送出されてくる共通メニュー信号を検出した場合であって、会話予約設定手段が操作された場合は、エラーである旨を報知手段に報知する通信端末装置。なお、報知手段は、前記実施形態における鳴動部２２又は表示部１７の少なくともいずれか一方である。このように構成すれば、会話予約を設定できない旨を報知手段に報知することができる。
【００４９】
【発明の効果】
本発明は、以上のように構成されているため、次のような効果を奏する。
各請求項に記載の発明によれば、送信先の通信機能に拘わらず、会話予約の設定を有効にすることができる。
【００５０】
請求項２に記載の発明によれば、請求項１に記載の発明の効果に加えて、使用状況に応じて、通信端末装置の初期設定を行うことができる。
請求項３に記載の発明によれば、請求項１に記載の発明の効果に加えて、会話予約設定手段が操作されても、誤動作するおそれを確実に防止することができる。
【図面の簡単な説明】
【図１】ファクシミリ装置の構成を示すブロック図。
【図２】送信時の動作を示すフローチャート。
【図３】送信時の動作を示すフローチャート。
【符号の説明】
１…通信端末装置としてのファクシミリ装置、１１…制御手段を構成するＭＰＵ、１２…制御手段を構成するＲＯＭ、１３…制御手段を構成するＲＡＭ、１６ｆ…会話予約設定手段としての会話予約設定キー。
【図１】
0003586718.tif 000002
【図２】
0003586718.tif 000003
【図３】
0003586718.tif 000004